(57)【要約】      （修正有）【課題】パネル壁面に横方向の連続性を与え、空間的な広がりを演出する間仕切りパネル装置を提供する。【解決手段】左右に立設された複数の支柱２間に、複数の横連結杆３を架設して形成された矩形枠の少なくとも前面にパネル材４を取付けてなる間仕切パネル装置１であって、左右に連接するパネル材４の側縁同士を当接させ、かつ上下に連接する各パネル材４の上縁及び下縁同士を所定間隔離間させて配置することで横目地７を形成するとともに、少なくとも横目地７から露出する部分の矩形枠の表面材の明度は、パネル材の壁面４ｓの明度よりも低くした。【選択図】図１
2017089175.tif 000002
【特許請求の範囲】
【請求項１】
左右に立設された複数の支柱間に、複数の横連結杆を架設して形成された矩形枠の少なくとも前面にパネル材を取付けてなる間仕切パネル装置であって、
左右に連接する前記パネル材の側縁同士を当接させ、かつ上下に連接する各パネル材の上縁及び下縁同士を所定間隔離間させて配置することで横目地を形成するとともに、
少なくとも前記横目地から露出する部分の前記矩形枠の表面材の明度は、前記パネル材の壁面の明度よりも低いことを特徴とする間仕切りパネル装置。
【請求項２】
前記パネル材の厚みは、前記横目地の二倍以上であることを特徴とする請求項１に記載の間仕切りパネル装置。
【請求項３】
前記パネル材の壁面と、該パネル材の壁面と直交するパネル材の上縁及び下縁とは、同じ明度であることを特徴とする請求項１または２に記載の間仕切りパネル装置。
【請求項４】
前記矩形枠は、少なくとも前記横目地から露出する部分に前記パネル材の壁面よりも明度の低いシール材を貼付されていることを特徴とする請求項１ないし３のいずれかに記載の間仕切りパネル装置。
【請求項５】
前記パネル材と天井との間に露出する部分の前記矩形枠の表面材の明度、及び前記パネル材と床面との間に露出する部分の前記矩形枠の表面材の明度の少なくともいずれか一方の明度は、前記パネル材の壁面の明度よりも低いことを特徴とする請求項１ないし４のいずれかに記載の間仕切りパネル装置。
【発明の詳細な説明】
【技術分野】
【０００１】
本発明は、オフィス等の空間を任意の領域に仕切る間仕切りパネル装置に関する。
【背景技術】
【０００２】
オフィスやショールーム等の主に室内の空間は、その空間の利用目的に合わせて所望の広さに仕切るために、従来各種の間仕切りパネル装置が用いられている。これらの間仕切りパネル装置は、複数のパネルをフレームに取り付けることでパネル壁面を形成することが一般的であり、各パネルの寸法公差や取付け作業時の作業性を考慮し、縦方向又は横方向にパネル間の目地を形成している。
【０００３】
このような間仕切りパネル装置として、特許文献１には、ブロックパネルを、複数の支柱と該支柱間に架け渡された横連結杆に固定するものが開示されており、この間仕切りパネル装置においては、縦方向及び横方向の両方に目地が形成されている。
【先行技術文献】
【特許文献】
【０００４】
【特許文献１】特開２００７−０１６５２６（第１０頁、第２図）
【発明の概要】
【発明が解決しようとする課題】
【０００５】
また、横方向の連続性を壁面に与えて広がりのある空間を演出し、パネル壁面に高級感を出すために、縦方向の目地は極力小さくしながら横方向に所定寸法の横目地を形成することが行われている。このように広がりのある空間や高級感を演出するために、特許文献１の間仕切りパネル装置では、ブロックパネルを左右方向に隙間無く配置し、横目地を形成しても、上下のブロックパネル間に形成された横目地から支柱と横連結杆の接続部が見えてしまい、当該部分において横方向の連続性が損なわれ、間仕切りパネル装置が使用される空間に広がりを演出することが充分ではなかった。
【０００６】
本発明は、このような問題点に着目してなされたもので、パネル壁面に横方向の連続性を与え、空間的な広がりを演出する間仕切りパネル装置を提供することを目的としている。
【課題を解決するための手段】
【０００７】
前記課題を解決するために、本発明の間仕切りパネル装置は、
左右に立設された複数の支柱間に、複数の横連結杆を架設して形成された矩形枠の少なくとも前面にパネル材を取付けてなる間仕切パネル装置であって、
左右に連接する前記パネル材の側縁同士を当接させ、かつ上下に連接する各パネル材の上縁及び下縁同士を所定間隔離間させて配置することで横目地を形成するとともに、
少なくとも前記横目地から露出する部分の前記矩形枠の表面材の明度は、前記パネル材の壁面の明度よりも低いことを特徴としている。
この特徴によれば、パネル材の側縁同士を当接させるとともに、横目地に位置する矩形枠の明度をパネル材の壁面の明度より低くすることで、横目地を際立たせ、左右に連接するパネル材同士の境界から意識を逸らし、かつ上下に隣接するパネル材の間に形成される横目地に位置する矩形枠の色が、支柱部材と横連結杆の接続部の段差により形成される影の色に近似することから、当該接続部の影や段差の視認性を下げることができるため、間仕切りパネル装置に横方向の連続性を与えて空間的な広がりを演出することができる。
【０００８】
前記パネル材の厚みは、前記横目地の二倍以上であることを特徴としている。
この特徴によれば、パネル材の厚み分、支柱部材と横連結杆の接続部はパネル材の壁面から奥まった位置に配されるため、横目地に入射した光が支柱部材と横連結杆との接続部に届きにくく、支柱部材と横連結杆との接続部が目立ちにくい。
【０００９】
前記パネル材の壁面と、該パネル材の壁面と直交するパネル材の上縁及び下縁とは、同じ明度であることを特徴としている。
この特徴によれば、横目地に入射する光の加減によってパネル材の上縁及び下縁に自然な濃淡のグラデーションがつくため、パネル材の壁面とパネル材の上縁及び下縁の色が馴染みやすく、美観に優れる。
【００１０】
前記矩形枠は、少なくとも前記横目地から露出する部分に前記パネル材の壁面よりも明度の低いシール材を貼付されていることを特徴としている。
この特徴によれば、矩形枠が露出する箇所の明度を容易に下げることができ、各部品の加工が簡易になる。
【００１１】
前記パネル材と天井との間に露出する部分の前記矩形枠の表面材の明度、及び前記パネル材と床面との間に露出する部分の前記矩形枠の表面材の明度の少なくともいずれか一方の明度は、前記パネル材の壁面の明度よりも低いことを特徴としている。
この特徴によれば、矩形枠の天井側及び床面側に横目地に略平行に明度の低い領域が形成されるため、間仕切りパネル装置に横方向の連続性を与えて空間的な広がりを演出することができる。
【図面の簡単な説明】
【００１２】
【図１】本発明に係る間仕切りパネル装置を示す正面図である。
【図２】間仕切りパネル装置の分解斜視図である。
【図３】間仕切りパネル装置の矩形枠の接続構造周辺の拡大斜視図である。
【図４】図１におけるＡ‐Ａ端面図とその一部拡大図である。
【図５】図１の図中央付近の二点鎖線部の拡大図である。
【発明を実施するための形態】
【００１３】
本発明に係る間仕切りパネル装置を実施するための形態を実施例に基づいて以下に説明する。
【実施例】
【００１４】
実施例に係る間仕切りパネル装置につき、図１から図５を参照して説明する。以下、図１の紙面手前を間仕切りパネル装置の前方、紙面左右を間仕切りパネル装置の左右として説明する。
【００１５】
図１（ａ）及び（ｂ）に示されるように、間仕切りパネル装置１は主に室内のオフィス空間やショールーム等の空間を、その空間の利用目的に合わせて所望の広さに区分けするために取付けられるものである。間仕切りパネル装置１は主に、左右方向に複数立設された支柱２と、該支柱２の間に高さ方向に複数架けられた横連結杆３と、支柱２及び横連結杆３とにより形成される矩形枠に支持されている複数のブロックパネル４，４，…とにより構成されている。
支柱２は、薄肉鋼板を曲げ加工と溶接して製作されており、その全面が黒色で塗装された長尺部材であり、長手方向に沿って所定間隔毎に複数の止め金具用スリット１４Ａと受け金具用スリット１４Ｂが前後対称に二つずつ形成されている（図３参照）。なお、支柱２は、アルミ材の押し出し加工により製作されたものでもよい。
【００１６】
図２に示されるように、横連結杆３（３Ａ、３Ｂ、３Ｃ）は薄肉鋼板を曲げ加工と溶接して製作されており、その全面が黒色で塗装された長尺部材であり、支柱２に架けられる高さ位置の違いにより３種類の部材に区別されている。すなわち、天井Ｃのベース６に取付けられる上部結合材３Ａ（いわゆる笠木）、支柱２に取付けられた中間結合部材受け金具１２に固定される中間結合部材３Ｂ及び床面Ｆのベース６に取付けられる下部結合材３Ｃ（いわゆる巾木）である。なお、横連結杆３はアルミ材の押し出し加工によりにより製作されたものでもよい。
【００１７】
また、横連結杆３である中間結合部材３Ｂは、上方に向けて開口している上部片３０と、下方に向けて開口している下部片３１とにより構成されている（図４参照）。なお、横連結杆３の支柱２への取付け構造については後述する。
【００１８】
図２及び図３に示されるように、ブロックパネル４，４，…は、薄肉鋼板を曲げ加工により成形され、全面を白色に塗装された板状部材であり、パネル材の壁面４ｓ，４ｓ，…により間仕切りパネル装置１の壁面を形成している。また、パネル材の壁面４ｓと直交する面として、ブロックパネル４，４，…の上下にはパネル材の上側面及び下側面４ｔ（パネル材の上縁及び下縁）が、左右にはパネル側面４ｕがそれぞれ形成されている。また、パネル材の壁面４ｓの裏側には断熱材４ｄが接着剤により取り付けられており、断熱材４ｄの上部には上向きの開口を有する板バネ状の抑え金具４ａが取り付けられている。
【００１９】
天井Ｃと床面Ｆとには、アルミ材の押し出し加工により成形された長尺部材で、化粧板であるハカマ５，５がネジ止めによりそれぞれ取り付けられている。
【００２０】
図２に示されるように、間仕切りパネル装置１は、前後面の両面にブロックパネル４，４，…を有する構造となっている。床面Ｆ及び天井Ｃに取付けられる長尺のベース６，６の端部にジョッキ１０及びボラ１１を介して支柱２が固定される。そしてこの支柱２の側面に複数設けられた止め金具用スリット１４Ａにパネル止め金具１３が、受け金具用スリット１４Ｂに中間結合部材受け金具１２が、それぞれ固定される。
【００２１】
図３に示されるように、パネル止め金具１３には、係合部１３ａ，１３ａが支柱２の前後方向対称に二つ設けられており、これら係合部１３ａ，１３ａを支柱２の止め金具用スリット１４Ａと係合することにより、パネル止め金具１３が支柱２に支持されるようになっている。また、係合部１３ａ，１３ａの下部には、ブロックパネル４，４，…を懸架するための懸架部１３ｂ，１３ｂが支柱２の前後方向対称に二つ設けられており、懸架部１３ｂ，１３ｂに対してブロックパネル４，４，…の幅方向端部における裏側の上下略中央に形成された懸架用スリット４ｃを係止させる構造となっている。
【００２２】
また、中間結合部材受け金具１２は、断面略コ字状の部材であり、金属板を屈曲して一体成形されており、上面１２ａと、上面１２ａの前後端から下方に直角にそれぞれ延びる側面１２ｂ，１２ｂと、これら側面１２ｂ，１２ｂの外側にそれぞれ延びる延出部１２ｃ，１２ｃと、これら延出部１２ｃ，１２ｃの上下端に形成される上向突片１２ｄ，下向き突片１２ｅと、を有して主に構成されている。
【００２３】
中間結合部材受け金具１２は、延出部１２ｃ，１２ｃを支柱２の止め金具用スリット１４Ａ，１４Ａにそれぞれ挿入し、金具用スリット１４Ａ，１４Ａの裏面に上向突片１２ｄと下向き突片１２ｅを当接させるように係合させる。この状態で、中間結合部材受け金具１２の上面１２ａに、下方に開口する略コ字状の中間結合部材３Ｂの下部片３１を載置し、中間結合部材３Ｂの下部片３１と上部片３０をそれぞれ貫通する孔３２と、固定用孔１２ｆを挿通するネジ（図示せず）により中間結合部材受け金具１２と中間結合部材３Ｂとを連結し、中間結合部材３Ｂを支柱２に対して支持させる構造になっている。
【００２４】
中間結合部材受け金具１２と中間結合部材３Ｂとの連結の際、中間結合部材３Ｂの端面３ｕが支柱２の側面２ａに当接した状態で初めて、中間結合部材受け金具１２の固定用孔１２ｆと中間結合部材３Ｂの孔３２とが重なるようになっており、中間結合部材受け金具１２と中間結合部材３Ｂとが連結されることにより、支柱２の側面２ａと中間結合部材３Ｂの端面３ｕが隙間なく当接された状態となる。
【００２５】
前述した中間結合部材受け金具１２と中間結合部材３Ｂとの連結により支柱２と中間結合部材３Ｂとで矩形枠が形成される。
【００２６】
ブロックパネル４，４，…は、ブロックパネル４，４，…の内側の上部には抑え金具４ａが、下部には脚部４ｂが、左右の上下略中央には懸架用スリット４ｃ（図３参照）が、それぞれ形成されており、抑え金具４ａがブロックパネル４の上側に位置する中間結合部材３Ｂの下部片３１の下向片３１ａを挟み込み、懸架用スリット４ｃを支柱２に取付けられたパネル止め金具１３の懸架部１３ｂに係合させ、脚部４ｂをブロックパネル４の下側に位置する中間結合部材３Ｂの上部片３０の上向片３０ａに係合させる。これにより、ブロックパネル４が支柱２及び中間結合部材３Ｂにより構成される矩形枠に固定される構造となっている。
【００２７】
パネル止め金具１３は、支柱２に取付けられた状態で、懸架部１３ｂ，１３ｂが支柱２の側面２ａと略当接するような構造となっている。一方、懸架用スリット４ｃは、ブロックパネル４の内側の幅方向端部から中心方向に所定距離内側に寄って形成されている。そのため、ブロックパネル４がパネル止め金具１３に係止された際には、ブロックパネル４の幅方向端部が支柱２の前後面２ｂ，２ｂに対して所定寸法重なるようになっている。ここでいう所定寸法とは、ブロックパネル４のパネル側面４ｕから支柱２の側面２ａまでの寸法であり、言い換えると支柱２の前後面２ｂ，２ｂの幅方向（左右方向）の長さの略半分の寸法である。ブロックパネル４，４を支柱２に取り付けた状態において、図５に示されるように、左右に隣接するブロックパネル４，４のパネル側面４ｕ，４ｕ（側縁）同士が当接した状態となる。
【００２８】
中間結合部材３Ｂ，３Ｂの支柱２に取付けられる上下方向の間隔が、ブロックパネル４の高さよりも大きく設定されているため、図５に示されるように、上下方向に隣接して支持されるブロックパネル４，４，…の間には予め設定された所定寸法αの横目地７が形成されることになる。本実施における所定寸法αは４ｍｍであるが、その寸法は設計に応じて任意に調整されるため、この限りではない。更に、この横目地７の内側に中間結合部材３Ｂが位置しているため、支柱２と中間結合部材３Ｂとの接続部９が横目地７から部分的に覗くように露出する状態となる。
【００２９】
図２から図４では図示していないが、矩形枠を構成する支柱２及び中間結合部材３Ｂは、その全面に黒色の塗装が施されている。ブロックパネル４，４，…のパネル材の壁面４ｓは白色に塗装されており、これらブロックパネル４，４，…と矩形枠との明度が反転したものとなっている。これによれば、横目地７に位置する矩形枠の明度をパネル材の壁面４ｓの明度より低くすることで、横目地７を敢えて際立たせ、左右に連接するパネル材４，４同士の境界から意識を逸らさせ、かつ上下に隣接するパネル材４，４の間に形成される横目地７に位置する矩形枠の色が、支柱部材２と中間結合部材３Ｂの接続部の段差により形成される影の色に近似することから、当該接続部の影や段差の視認性を下げることができるため、間仕切りパネル装置１に横方向の連続性を与えて空間的な広がりを演出することができる。
【００３０】
図４に示されるように、ブロックパネル４，４，…の前後方向の厚みβは、横目地７の所定寸法αの２倍以上に設定されている。このため、間仕切りパネル装置が室内に設置された場合に、矩形枠を構成する支柱２及び中間結合部材３Ｂはパネル材の壁面４ｓから奥まった位置に配されるため、横目地７に室内灯の光が入射した場合であっても、横目地７に入射した光が支柱２と中間結合部材３Ｂとの接続部９に届きにくくなっている。これによれば、支柱２と中間結合部材３Ｂの接続部９に陰影が形成されづらく、支柱２と中間結合部材３Ｂの接続部９の段差のつなぎ目の視認性を下げ、横目地７が連続して左右方向に形成されている印象を与えることができる。
【００３１】
また、明度の高いパネル材の上側面及び下側面４ｔ，４ｔにより形成される横目地７に入射する光によってパネル材の上側面及び下側面４ｔ，４ｔの面上に形成されたブロックパネル４の影が形成されるが、ブロックパネル４，４，…のパネル材の上側面及び下側面４ｔ，４ｔは、パネル材の壁面４ｓと同じ白色に塗装されているため、パネル材の上側面及び下側面４ｔ，４ｔの面上に影が形成されたことにより、パネル材の上側面及び下側面４ｔ，４ｔの色が黒色に近づくことになる。そのため、パネル材の壁面４ｓの色と、パネル材の上側面及び下側面４ｔ，４ｔの明度の高い色と、矩形枠を構成する支柱２及び中間結合部材３Ｂの明度の低い色とにより、自然な濃淡のグラデーションがつくため、横目地７から露出する矩形枠を構成する支柱２及び中間結合部材３Ｂと、パネル材の壁面４ｓとの境界線が薄れ、美観に優れる。
【００３２】
また、上部部結合材３Ａ及び下部結合材３Ｃは、それらの外面が、明度の低い色に塗装されている。そして、ブロックパネル４と天井Ｃとの間で外部に露出する領域δ（図４参照。）及び下部結合材３Ｃとブロックパネル４と床Ｆとの間で外部に露出する領域ε（図４参照。）は、これらの明度が低くかつ横方向に延びて形成されているため、横方向に連続する印象を与えている。さらに、これらの領域δ、領域εは、横目地７と平行に配置されているため、間仕切りパネル装置１に一層の横方向の連続性を与えて空間的な広がりを演出することができる。なお、間仕切りパネル装置１の具体的な態様（天井側が目立ち易い等の態様）に応じて、領域δと領域εの一方のみを明度の低い色に塗装してもよい。
【００３３】
尚、矩形枠の表面材である支柱２や中間結合部材３Ｂの明度については、全面への塗装によるものについて説明しているが、横目地７に位置する該当領域γ（図３参照）にのみ塗装を施してもよいし、塗装はせずに該当領域γに明度の低いシール材を貼付する態様であっても構わない。
同様に、上部結合材３Ａ及び下部結合材３Ｃについても、全面への塗装によるものではなく、領域δ及び領域εにのみ塗装を施してもよいし、明度の低いシール材を貼付する態様であっても構わない。
【００３４】
以上、本発明の実施例を図面により説明してきたが、具体的な構成はこれら実施例に限られるものではなく、本発明の要旨を逸脱しない範囲における変更や追加があっても本発明に含まれる。
【００３５】
例えば、上記実施例においては、ブロックパネル４，４，…として薄肉鋼板を使用しているが、ブロックパネル４，４，…の材質としてはこの他のものであってもよく、木材やＦＲＰ等の樹脂材料であってもよい。また、ガラス材や樹脂材のうち、光透過性材料のパネルを鋼板等で形成した枠材に嵌めて構成したものでもよい。この場合において、パネル材が光透過性材料である場合には、本発明における壁面を形成する面とは、パネル材が嵌められる枠材の表面を指すことになる。
【００３６】
また、上記実施例においては、支柱２や中間結合部材３Ｂの材質として、アルミの押し出し材を使用しているが、支柱２や中間結合部材３Ｂの材質としてはこの他のものであってもよく、薄肉鋼板、木材若しくはＦＲＰ等の樹脂材料であってもよい。
【００３７】
また、上記実施例においては、接続部９の周辺に関し、支柱２と中間結合部材３Ｂとにのみ黒色の塗装を施しているが、これに限らず、共に矩形枠を形成する中間結合部材受け金具１２にも同様に黒色の塗装を施してもよく、これによれば、仮に支柱２と中間結合部材３Ｂとの連結精度を落としたとても、支柱２と中間結合部材３Ｂとの段差のつなぎ目の視認性を下げることができる。尚、中間結合部材受け金具１２についても支柱２と中間結合部材３Ｂと同様に、全面塗装に限らず横目地７に位置する該当領域にのみ塗装が施されてもよい。
【００３８】
また、上記実施例においては、接続部９は支柱２と中間結合部材３Ｂにより形成され、中間結合部材受け金具１２は中間結合部材３Ｂに覆われて外部から視認できない位置に配置されているが、中間結合部材受け金具が支柱２と中間結合部材３Ｂを連結している状態が外部から視認できる構造になっていてもよい。その場合には、中間結合部材受け金具も含めて、本発明の矩形枠の表面材を構成していることになる。このように複数の部材により矩形枠の表面材が構成される場合には、横目地７から覗く部品の凹凸が目立たないようにすることで、横目地７の横方向の連続性を損なわないように配慮して矩形枠の表面材の明度を低くする必要がある。
【００３９】
また、上記実施例においては、支柱２の前後の両側にブロックパネル４，４，…が取り付けられる構造について説明したが、この態様に限られず、支柱の前側方にのみブロックパネル４，４，…が取り付けられる構造であっても構わない。
【００４０】
また、上記実施例においては、左右方向に隣接するブロックパネル４，４，…のパネル側面４ｕが互いに当接される例について説明したが、この態様に限られず、ブロックパネル４，４，…が横方向につながる印象を与えられる程度に、極めて僅かな寸法の間隙を有して隣接していても良い。さらに、ブロックパネル４，４，…のパネル側面４ｕ，４ｕが互いに当接乃至極めて僅かな寸法の間隙を有して隣接する領域の後方において、支柱２がブロックパネル４，４，…の裏面に幅方向に長さを有して当接して配置される構造としているため、間仕切りパネル装置１の内部からパネル側面４ｕ，４ｕの間から光が漏れることが抑制され、横目地７が連続して左右方向に形成されている印象を与えることができる。
【００４１】
また、上記実施例においては、ブロックパネル４，４，…の壁面４ｓを白色、矩形枠の表面材を黒色の例において説明したが、このように全く逆の明度を採用することで、横目地７の横方向の連続性を顕著に与え、パネル装置の空間的な広がりを顕著に演出することができる。
しかしながら、この態様に限られず明度の違いがあれば他の各種の色相を有していても構わないし、パネル材の壁面４ｓと矩形枠の表面材の色相については、それぞれ異なるものであっても構わない。この点については、パネル材の上側面及び下側面４ｔについても同様である。
【符号の説明】
【００４２】
１                間仕切りパネル装置
２                支柱（矩形枠）
３                横連結杆
３Ｂ              中間結合部材（横連結杆）（矩形枠）
３ｕ              中間結合部材端面（パネル材の側縁）
４                ブロックパネル（パネル材）
４ｓ              パネル材壁面
４ｔ              パネル材の上側面，下側面（パネル材の上縁，下縁）
４ｕ              パネル側面（パネル側縁）
６                ベース
７                横目地
８                当接部
９                接続部
１２              中間結合部材受け金具（矩形枠）
１３              パネル止め金具
α                横目地の寸法
β                ブロックパネル厚み
【図１】
2017089175.tif 000003
【図２】
2017089175.tif 000004
【図３】
2017089175.tif 000005
【図４】
2017089175.tif 000006
【図５】
2017089175.tif 000007